(57)【要約】【課題】容器口部から液状内容物を直接飲んでも口当たりがよく違和感がなく、しかも容易且つコスト的に見合う成形加工方法を実施できる構造にした内側ネジ付容器を提供する。【解決手段】内側ネジ付容器１は、口部２の内周面３に内ネジ４を設けた容器５と、この容器５の内ネジ４に螺合する外ネジ６を設けた内筒７及び口部２を覆う外筒８を有する蓋９とからなり、内ネジ４の内径（Ｒ１）は内ネジ４以外の口部２の内径（Ｒ２）以上（Ｒ１≧Ｒ２）になっていることで、容器５に対して簡易な成形加工方法を実施でき、口部２の飲み口に異物が無いから、違和感がなく気分良く直接液状内容物を飲むことができる。【選択図】図２
2009214928.tif 000002
【特許請求の範囲】
【請求項１】
口部の内周面に内ネジを設けた容器と、該容器の前記内ネジに螺合する外ネジを設けた
内筒及び前記口部を覆う外筒とを有する蓋と、からなることを特徴とする内側ネジ付容器。
【請求項２】
前記蓋の前記内筒と前記外筒との間にシール溝を設け、該シール溝に前記容器口部の先端部を嵌合して密封する請求項１記載の内側ネジ付容器。
【請求項３】
前記内筒の先端が、容器口部の内ネジの下方段部に圧接されてメインシールを構成する
請求項１または２記載の内側ネジ付容器。
【請求項４】
前記蓋の天面壁の中央部が凹陥部とされ、該凹陥部の外周に外ネジが形成されてなる請求項１記載の内側ネジ付容器。
【請求項５】
前記凹陥部の上面開口部がシートでシールされてなる請求項４記載の内側ネジ付容器。
【請求項６】
前記内ネジのネジ山の内径（Ｒ１）が前記内ネジ以外の容器口部の内径（Ｒ２）以上である（Ｒ１≧Ｒ２）請求項１ないし５のいずれか１項に記載の内側ネジ付容器。
【請求項７】
前記蓋の前記外筒下端部周縁に不正開封防止機構が設けられ、該不正開封防止機構は、前記外筒の全周面に延びる破断可能な破断ラインを形成し、前記外筒を前記破断ラインを境として、上部の主部と下部のタンパーエビデント裾部とに区画し、このタンパーエビデント裾部の内周面に、前記容器口部の外周面に係合する複数のフラップ片を、内方且つ上方に傾斜させて設けた請求項１ないし６のいずれか１項に記載の内側ネジ付容器。
【発明の詳細な説明】
【技術分野】
【０００１】
本発明は、液状内容物を充填している容器の口部から、直接液状内容物を飲む際に容器口部が口当たりのよいネジ付容器に関し、より詳しくは、容器口部の内周面に内ネジを設けて、容器口部外周面のネジを無くし、この内ネジに螺合して容器を密封する蓋を有した内側ネジ付容器に関する。
【背景技術】
【０００２】
従来の液状内容物を充填する容器は、その口部の外周面にネジが設けられ、そのネジにより螺着脱する蓋からなるのが一般的である。その容器に収容されている液状内容物を飲む場合は、一旦コップなどの他の容器に移し替えてから飲むことが多かったが、近頃では、比較的小容量のボトルが出回ってきたことも有り、ボトルの口部から液状内容物を直接飲むことが多くなっている。
【０００３】
この場合、容器口部の外周面に設けられたネジが飲む人の唇や舌に当たり、違和感を感じる人が少なくないが、その点が改良された容器は市場に出回っている状況にはない。
ただ、構造の面から、これに近いものとして次の様な技術が知られている。
【特許文献１】特開２０００−３１３４２３号公報
【０００４】
この特許文献１に係る容器は、図７に示すように、被詰替用容器５０と詰替用ボトル５
１とからなり、この被詰替用容器５０の口部５２の内周面に内ネジ５３が設けられ、詰替
用ボトル５１の口部５４の外周面に、被詰替用容器５０の内ネジ５３に螺合する外ネジ５
５が設けられて、被詰替用容器５０に詰替用ボトル５１の液状内容物を詰め替える際、被
詰替用容器５０の口部５２の内ネジ５３に、詰替用ボトル５１の口部５４の外ネジ５５を
螺着することで、液状内容物をこぼすことなく、詰め替えることができるものである。な
お、被詰替用容器５０の口部５２の外周面には、不図示の蓋を螺着するための外ネジ５６
が設けられている。
【発明の開示】
【発明が解決しようとする課題】
【０００５】
上記特許文献１の容器には、被詰替用容器５０の口部５２内周面に内ネジ５３が設けら
れ、詰替用ボトル５１の口部５４外周面に外ネジ５５が設けられているものの、被詰替用
容器５０の口部５２の外周面には、蓋を螺着するための外ネジ５６が設けられている。し
たがって、この特許文献１には、被詰替用容器５０の口部５２の外周面に、ネジなどの突
起物を設けず滑らかな表面にするという、技術思想はないものと思われる。また、容器口
部の内周面に内ネジを設けて外周面のネジを無くすという、一見して自明のように思われ
る技術の先行例を見つけることが出来ないのは、その成形加工が難しく、何らかの構造的
な改善がなされないと、容易且つコスト的に見合う成形加工方法を見出すことが出来ない
ことに、起因しているものと思われる。
【０００６】
そこで、本発明の目的は、容器の口部から液状内容物を、唇や舌に違和感がなく口当たりよく飲むことが出来、容易、且つコスト的に見合う成形加工方法を実施できる構造の内側ネジ付容器を提供することにある。
【課題を解決するための手段】
【０００７】
本発明は、上記目的を達成するために提案されたものであって、下記の構成からなるこ
とを特徴とするものである。
すなわち、本発明によれば、口部の内周面に内ネジを設けた容器と、該容器の前記内ネ
ジに螺合する外ネジを設けた内筒及び前記口部を覆う外筒とを有する蓋と、からなることを特徴とする内側ネジ付容器が提供される。
【０００８】
また、本発明によれば、前記蓋の前記内筒と及び前記外筒との間にシール溝を設け、該
シール溝に前記容器口部の先端部を嵌合して密封する上記内側ネジ付容器が提供される。
【０００９】
また、本発明によれば、前記内筒の先端が、容器口部の内ネジの下方段部に圧接されてメインシールを構成する上記内側ネジ付容器が提供される。
【００１０】
また、本発明によれば、前記蓋の天面壁の中央部が凹陥部とされ、該凹陥部の外周に外ネジが形成されてなる上記内側ネジ付容器が提供される。
【００１１】
また、本発明によれば、前記凹陥部の上面開口部がシートでシールされてなる上記内側ネジ付容器が提供される。
【００１２】
また、本発明によれば、前記内ネジのネジ山の内径（Ｒ１）が前記内ネジ以外の容器口部の内径（Ｒ２）以上である（Ｒ１≧Ｒ２）上記内側ネジ付容器が提供される。
【００１３】
また、本発明によれば、前記蓋の前記外筒下端部周縁に不正開封防止機構が設けられ、該不正開封防止機構は、前記外筒の全周面に延びる破断可能な破断ラインを形成し、前記外筒を前記破断ラインを境として、上部の主部と下部のタンパーエビデント裾部とに区画し、このタンパーエビデント裾部の内周面に、前記容器口部の外周面に係合する複数のフラップ片を、内方且つ上方に傾斜させて設けた上記内側ネジ付容器が提供される。
【発明の効果】
【００１４】
本発明の内側ネジ付容器は、液状内容物を飲むために蓋を螺脱すると、容器外周面にネ
ジなどの突起物の無い口部が裸出するため、これに直接口を付けても、ネジなどの突起物
に唇や舌が当たることなく液状内容物を飲むことができる。したがって、容器の口部から
直接液状内容物を、唇や舌に違和感がなく気分良く飲むことが出来る効果がある。
【００１５】
また、請求項２の内側ネジ付容器は、容器の口部に蓋を螺着すると、口部の先端部が蓋のシール溝に嵌合してより強く密封される。したがって、上記の効果に加えて、容器の口部の内ネジと蓋の外ネジとによっても、これら容器と蓋との密封性を保持できる効果がある。
【００１６】
また、請求項３の内側ネジ付容器は、内筒の先端が、容器口部内の内ネジの下方段部に圧接される程度に長く形成され、これによって、当該部分がメインシールを構成することになり、上記密封機構をさらに確実なものにすることができる。
【００１７】
また、請求項４の内側ネジ付容器は、前記蓋の天面壁の中央部が凹陥部とされ、該凹陥部の外周に外ネジが形成されてなるものであり、凹陥部の底面の存在が外ネジと内ネジとの螺着をより強固なものとすることができる。
【００１８】
また、請求項５の内側ネジ付容器は、前記凹陥部に、例えば、景品などを収納して、その開口部をシートでシールすることにより、容器の付加価値を高めることができる。
【００１９】
また、請求項６の内側ネジ付容器は、容器口部の内ネジのネジ山の内径（Ｒ１）が内ネジ以外の容器口部の内径（Ｒ２）以上（Ｒ１≧Ｒ２）にすることにより、容器のプリフォームを射出成形し、金型のコア部分を引き抜く際に、内ネジのネジ山部分にコア部分が当たらないため、成形品の型抜きが容易であり、容易且つコスト的に見合う成形加工方法を実施できる効果がある。
【００２０】
また、請求項７の内側ネジ付容器は、蓋を開けると、不正開封防止機構におけるタンパーエビデント裾部の複数のフラップ片が容器口部の外周面に当たり、抵抗となって破断ラインを破断して、蓋の主部とタンパーエビデント裾部とが分離するため、蓋の開封事実が容易に認識される。したがって、上記の効果に加えて、蓋の主部とタンパーエビデント裾部とが分離していれば、既に開封されたものであることが分かり、不正開封事実を事前に見つけることができる効果がある。
【発明を実施するための最良の形態】
【００２１】
以下に、図面を参照して本発明を実施するための最良の形態を説明する。
＜第１実施形態＞
【００２２】
図１は本発明の実施の形態を示す内側ネジ付容器の正面図、図２は本発明の実施の形態
を示す内側ネジ付容器の口部に初めて蓋を螺着する前の縦断面図、図３は図２の内側ネジ
付容器の口部に初めて蓋を螺着した状態の縦断面図、図４は図１の内側ネジ付容器から蓋
を螺脱して開封した状態の正面図である。図面において、内側ネジ付容器１は、口部２の
内周面３に内ネジ４を設けた容器５と、この容器５の内ネジ４に螺合する外ネジ６を設け
た内筒７及び口部２を覆う外筒８を有する蓋９と、からなるものである。
【００２３】
図１ないし図４に示す容器５は、既述の口部２、胴部１０及び底部１１からなり、乳飲料、コーヒー飲料、果汁飲料、清涼飲料など液状物を充填出来るものであり、形状などに特に限定がなく、且つ、その容量がたとえば５００ｃｃ以下の比較的少容量のものにおいて利用価値が高い。これは容器口部２に直接口を付けて液状内容物を飲むものであるから、あまり大型の容器はその目的にそぐわないからである。しかし、これは大型の容器に適用することを排除するものではない。
また、容器５は、ポリエチレンテレフタレートなどのポリエステル樹脂をプリフォームと呼ばれる一次成形物に射出成形し、これをストレッチロッドとエアーブローにより２軸延伸することにより好適に得ることができる。蓋９は、ポリプロピレンなどのポリオレフィン樹脂を圧縮成形することにより好適に得ることができるが、いずれもこれらのものに限定されるものではない。
【００２４】
この容器５の口部２における外周面１２には、その最下部に後に詳述するフラップ片２
５を止めるストッパー１３が設けられていること以外、特に突起物が無く滑らかに形成さ
れ、この口部２に口を当てても、口当たりがよく違和感が生じないようになっている。一方、口部２の内周面３には、既述のとおり内ネジ４のネジ山の一端は内ネジ４以外の口部
２の最内径となる部分（図２ではＲ２で示した箇所）に達すると共にネジ山の内径（Ｒ１）は内ネジ４以外の口部２の内径（Ｒ２）より大（Ｒ１＞Ｒ２）になっている。これにより、容器５のプリフォームを射出成形した後、最終的に金型のコア部分をプリフォーム内から引き抜かなければならないが、コア部分の外径は、元々内ネジ４以外の口部２の内径（Ｒ２）とほぼ同じであるから、そのまま引く抜くことが出来、さらに、内ネジ４のネジ山の内径（Ｒ１）は、内ネジ４以外の口部２の内径（Ｒ２）より大であるから、コア部分が内ネジ４に当ることなく引く抜くことが出来る。
【００２５】
なお、容器口部２の内ネジ４のネジ山の内径（Ｒ１）が、内ネジ４以外の口部２の内径（Ｒ２）より大（Ｒ１＞Ｒ２）にされていることにより、金型のコア部分を、ネジ山成形部とその他成形部とに分け、容器５のプリフォームを射出成形した後、ネジ山成形部を回転させて離型し、その後、その他成形部を引き抜くようなコア部分の構造にすれば、全てのコア部分を回転させる必要がないので、回転しないコアの内部に射出成形されたプリフォームを冷却するための冷却配管を設置できる。このため、容器口部２の内ネジ４の構造を上述の通りにすれば、本発明の容器５の容易且つコスト的に見合う成形加工方法を実施できることになる。
【００２６】
一方、前記蓋９は、前記容器５の口部２に液密に螺着するものであり、天面壁２０の周
縁から前記外筒８を垂下させ、且つ天面壁２０の内面から外筒８と同心的に前記内筒７を
垂下させてなる。この外筒８下端部周縁には不正開封防止機構２１が設けられ、この不正開封防止機構２１は、外筒８の全周面に延びる破断可能な破断ライン２２を形成して、外筒８を、破断ライン２２を境として、上部の主部２３と下部のタンパーエビデント裾部２４とに区画し、このタンパーエビデント裾部２４の内周面に、前記容器５のストッパー１３に係合する複数の可撓性のフラップ片２５を、内方且つ上方に傾斜させて設けてなるものである。なお、外筒８を設けずに内筒７と天面壁２０とで蓋９を構成しても、容器の口部２を確実に封止し口当たりの良い容器は提供される。しかし、例えば、不正開封防止機構２１などを設けて容器の安全性を高めること、口部２の外面を常時外部に曝さずに衛生性を高めること、さらには、表面にローレット加工などを施して回転操作性を高めることなどを目的に、外筒８を設けることが好ましい。
【００２７】
したがって、容器口部２から蓋９を螺脱して開封するために、その主部２３を開封方向
に回転させると、タンパーエビデント裾部９側にある可撓性のフラップ片２５が容器口部
２のストッパー１３に当たり、破断ライン２２を破断することになって、蓋９の主部８と
タンパーエビデント裾部９とが分離し、分離されたタンパーエビデント裾部９は、落下して容器５上に残留するから、これにより、不正開封事実が容易に確認される。なお、外筒８の主部２３の外周面にはすべり止め２６が設けられ、口部２への最初の螺着及び開封後の主部８の螺着脱を補助している。
【００２８】
前記内筒７には、その外周面に容器５の内ネジ４に螺合する外ネジ６が設けられ、この
内筒７と前記外筒８との間の天面壁２０には、シール溝２７が設けられて、容器口部２に
蓋９が螺着された際、シール溝２６に容器口部２の先端部２ａが嵌合され密封される。
【００２９】
次に、図面を参照して、上記構成になる内側ネジ付容器１の作用を説明する。
まず、内側ネジ付容器１の容器５の一次成形物であるプリフォームを射出成形した後、金型のコア部分のネジ山成形部を回転させて離型し、その他成形部の外径は、内ネジ４以外の口部２の内径（Ｒ２）とほぼ同じであるから、そのまま引く抜くことが出来、さらに、内ネジ４のネジ山の内径（Ｒ１）は、内ネジ４以外の口部２の内径（Ｒ２）より大（Ｒ１＞Ｒ２）であるから、その他成形部が内ネジ４に当ることなく引く抜くことが出来る。得られた容器５のプリフォームにて２軸延伸ブロー成形して容器５を得る。蓋９も別途射出成形して得る。次に、容器５内に液状内容物を充填し、その口部２に蓋９を螺着して最終製品とする。
【００３０】
内側ネジ付容器１の液状内容物を消費するには、蓋９の外筒８上部の主部２３に手指を
掛け、開封方向に回転させ破断ライン２２を破断して、主部２３とタンパーエビデント裾
部２４とを分離し、蓋９の主部２３を容器口部２から螺脱して開封する。容器口部２の外
周面１２には、その最下部にストッパー１３があるだけであり、それ以外の突起物が無く
滑らかであるから、容器口部２に口を当てて液状内容物を直接飲んでも、口当たりがよく違和感を生じることが無い。また、容器５内に液状内容物が残っている場合は、容器口部２に主部２３をあてがい、手指にて閉栓方向に回転させ螺着させれば良い。なお、内側ネジ付容器１を一旦開封すると、主部２３から分離したタンパーエビデント裾部２４は、容器５上に落下して残留し、不正開封機構が適正に機能する。
＜第２実施形態＞
【００３１】
図５は本発明の他の実施の形態を示すものであり、この内側ネジ付容器１ａと図１ない
し図４に示すものとの相違点は、容器５の口部２の内ネジ４の内径（Ｒ１）が内ネジ４以
外の口部２の内径（Ｒ２）と同じ（Ｒ１＝Ｒ２）であり、且つ、容器口部２の外周面１２
最下部に設けられたストッパー１３下の鍔部２８内側部分の肉厚を厚くした点にある。したがって、内ネジ４のネジ山の内径（Ｒ１）は、内ネジ４以外の口部２の内径（Ｒ２）と同じであるから、実施例１と同様に、コア部分におけるその他成形部が内ネジ４に当ることなく引く抜くことが出来、さらに、蓋９の破断ライン２２を破断して、主部２３とタンパーエビデント裾部２４とを分離した後、タンパーエビデント裾部２４が鍔部２８上に落下し、不正開封防止機構が適正に機能することになる。その他の構成、作用は実施例１と同様なので、図面に符号を付してその説明を省略する。
＜第３実施形態＞
【００３２】
図６は本発明の第３の実施形態を示すものであり、容器口部２の外周面１２最下部に設けられたストッパー１３下に鍔部２８が設けられている。この容器２を得るに当たっては、金型のコア部分を、ネジ山成形部と、径を拡縮できるコラプシブルコアと呼ばれる金型とで構成し、容器５のプリフォームを射出成形した後、ネジ山成形部を回転させて離型し、その後、コラプシブルコアを縮径して引き抜くことにより、本発明の容器５の容易且つコスト的に見合う成形加工方法を実施できることになる。さらに、蓋９の破断ライン２２を破断した後、タンパーエビデント裾部２４が鍔部２８上に落下することになる。その他の構成、作用は実施例１と同様なので、図面に符号を付してその説明を省略する。
＜第４実施形態＞
【００３３】
図７は本発明の第４の実施形態を示すものであり、内筒７の先端１４が、容器口部内の内ネジの下方段部１５に圧接される程度に長く形成されてなるものである。これによって、容器と蓋とのシールがこの部分で一層確実なものとなり、仮にシール溝２７でのシールが確実になされていなくても、容器と蓋とのシールは確実なものとなり、内容物充填後の洗浄などの際に洗浄水容器内に侵入する事態は確実に防止することができる。また、内容物充填後の容器が倒れるなどしても、内ネジ４と外ネジ６とが内容物によって濡れることがなく、蓋９を開栓しても内容物が垂れ落ちることが防止できる。
＜第５実施形態＞
【００３４】
図８は本発明の第５の実施形態を示すものでありまた、前記蓋９の天面壁２０の中央部が凹陥部２０ｂとされ、該凹陥部２０ｂの外周に外ネジ６が形成されてなるものであり、凹陥部２０ｂの底面２０ａの存在が内筒７の補強を担い、外ネジ６と内ネジ４との螺着をより強固なものとすることができる。また、この凹陥部には、例えば、景品などを収納して、その開口部をシート２０ｃでシールすることにより、容器の付加価値を高めることもできる。
【００３５】
なお、本発明の内側ネジ付容器は蓋９の構造が、容器口部を跨いで両側から挟みこむような構成になっていることから、内ネジの分だけ従来のものより重量が増えることになる。したがって、飲料を飲む際の口当たりに影響しない範囲でタンパーエビデントバンドを上方に形成することが望ましい。
【００３６】
以上、本発明の好ましい実施時止ｋ形態について説明したが、具体的な構成はこれに限定されず、本発明の要旨を逸脱しない範囲での変更は適宜可能であることは理解されるべきである。
【産業上の利用可能性】
【００３７】
本発明の内側ネジ付容器は、容器の口部に直接口を付けて液状内容物を口当たりのよい状態で飲みたい場合に利用可能性があり、しかも、容易且つコスト的に見合う成形加工方法を実施したいような場合にも高い利用可能性がある。
【図面の簡単な説明】
【００３８】
【図１】第１実施形態に示した本発明の実施の形態を示す内側ネジ付容器の正面図である。
【図２】第１実施形態において内側ネジ付容器の口部に初めて蓋を螺着する前の縦断面図である。
【図３】図２の内側ネジ付容器の口部に初めて蓋を螺着した状態の縦断面図である。
【図４】図１の内側ネジ付容器から蓋を螺脱して開封した状態の正面図である。
【図５】第２実施形態に示した本発明の他の実施の形態を示す内側ネジ付容器の縦断面図である。
【図６】第３実施形態に示した本発明の他の実施の形態を示す内側ネジ付容器の縦断面図である。
【図７】第４実施形態に示した本発明の他の実施の形態を示す内側ネジ付容器の縦断面図である。
【図８】第５実施形態に示した本発明の他の実施の形態を示す内側ネジ付容器の縦断面図である。
【図９】従来例の容器口部の一例を示す縦断面図である。
【符号の説明】
【００３９】
１、１ａ、１ｂ、１ｃ、１ｄ    内側ネジ付容器
２、５２、５４                口部
２ａ                          先端部
３                            内周面
４、５３                      内ネジ
５                            容器
６、５５、５６                外ネジ
７                            内筒
８                            外筒
９                            蓋
１０                          胴部
１１                          底部
１２                          外周面
１３                          ストッパー
１４                          内筒先端  
１５                          容器口部内段部
２０                          天面壁
２０ａ                        蓋の凹陥部底面
２０ｂ                        蓋の凹陥部
２０ｃ                        シート
２１                          不正開封防止機構
２２                          破断ライン
２３                          主部
２４                          タンパーエビデント裾部
２５                          フラップ片
２６                          スベリ止め
２７                          シール溝
２８                          鍔部
Ｒ１                          内ネジの内径
Ｒ２                          内ネジ以外の口部の内径
５０                          被詰替用容器
５１                          詰替用ボトル
【図１】
2009214928.tif 000003
【図２】
2009214928.tif 000004
【図３】
2009214928.tif 000005
【図４】
2009214928.tif 000006
【図５】
2009214928.tif 000007
【図６】
2009214928.tif 000008
【図７】
2009214928.tif 000009
【図８】
2009214928.tif 000010
【図９】
2009214928.tif 000011